(57)【要約】【課題】  清掃ヘッドに取り付けられる清掃用シートであって、前記清掃ヘッドの噴液部から噴射された液が、清掃ヘッドと清掃用シートとの間に供給されたときに、その液を吸収できるようにする。【解決手段】  清掃ヘッド１１に取付けられる清掃用シート１の掛止シート７が、清掃ヘッド１１に設けられたノズルヘッド３２を覆うように設置される。ノズルヘッド３２から噴射された液は、掛止シート７に受け止められ、清掃ヘッドと清掃用シートとの間に与えられる。清掃用シート１は装着面が液透過性であり、装着面に与えられた液は、清掃用シート１の液吸収シートに吸収され、被清掃面である。床面に徐々に与えられるようになる。【選択図】  図４
2005342259.tif 000002
【特許請求の範囲】
【請求項１】
清掃具のヘッドに装着される装着面、および清掃面とを有する清掃用シートにおいて、
前記清掃面に現れる液透過可能な外装シートと、前記外装シートの内側に設けられた液吸収シートとを有し、前記装着面に与えられた液が前記液吸収シートに吸収可能とされていることを特徴とする清掃用シート。
【請求項２】
前記装着面側に、前記液吸収シートを覆う液透過性の背面シートが設けられている請求項１記載の清掃用シート。
【請求項３】
前記液吸収シートを有する本体部は、幅方向寸法が縦方向寸法よりも大きい長尺形状で、前記本体部の前記幅方向に延びる両側縁から延びる掛止シートが設けられており、少なくとも１つの掛止シートが、前記ヘッドに設けられた噴液部を覆う広さを有している請求項１または２記載の清掃用シート。
【請求項４】
一方の掛止シートには、前記噴液部から出る液を前記ヘッドの外方へ与える凹部が形成され、他方の掛止シートが前記噴液部を覆う広さを有している請求項３記載の清掃用シート。
【請求項５】
少なくとも前記噴液部を覆う広さを有する掛止シートの前記噴液部に対向する面が、撥水性である請求項３または４記載の清掃用シート。
【発明の詳細な説明】
【技術分野】
【０００１】
本発明は、モップ状の清掃具などに取り付けられて使用される清掃用シートに係り、特に液を吸収保持できる清掃用シートに関する。
【背景技術】
【０００２】
家庭内での床の清掃には、モップ状の清掃ヘッドに清掃用シートを取り付けて使用するものがある。従来の前記清掃用シートは、単一の不織布で形成されまたは２枚程度の不織布が重ねられたものが乾燥状態で使用されるのが一般的である。乾燥状態で使用される前記清掃用シートは、不織布の表面の繊維間に埃やゴミを付着させたり、また吸着性油剤をコーティングして、シート表面にゴミや埃を付着させるようにしている。
【０００３】
しかし、乾燥状態の清掃用シートでは、綿埃などの除去はできても、床面に付着した汚れを取ることが難しい。
【０００４】
以下の特許文献１には、清掃ヘッドにノズルが設けられ、このノズルから水を床面に向けて噴出させ、床面を濡らした後に、清掃ヘッドに装着された清掃用シートで拭き取りを行う清掃具が開示されている。さらに以下の特許文献２にも、清掃ヘッドの上面から上方に延びる保持柄に液体供給部が設けられた清掃具が開示されている。
【特許文献１】実用新案登録第３０９４８５８号公報
【特許文献２】特表２００１−５２１４３２号公報
【発明の開示】
【発明が解決しようとする課題】
【０００５】
前記特許文献１や特許文献２に記載の清掃具は、清掃ヘッドに設けられたノズルから清掃ヘッドの外部に水や洗浄液が与えられて、水や洗浄液で濡れた床面を清浄パッドで拭き清掃をするものである。そのため、前記清掃ヘッドの底面に取り付けられる清浄パッドは、液吸収層を有するとともに、床面などに向く清掃面に液透過性シートが設けられている。ただし、前記清浄パッドは、前記清掃用ヘッドに向く背面が、液不透過性シートで覆われているのが一般的である。
【０００６】
しかしながら、特許文献１に記載のように、清掃ヘッドにノズルが設けられているものでは、このノズルから清掃ヘッドを伝わった水や液が、清掃ヘッドと清浄パッドとの間に入り込みやすい。清浄パッドの背面は液不透過性であるため、清掃ヘッドと清浄パッドとの間に水や液が入ると、清掃ヘッドと清浄パッドとの間に水や液が溜まる。その後に、清掃ヘッドから清浄パッドを取り外すと、水や液が床面に垂れ、また清浄パッドを取り外したときに、清掃ヘッドが洗浄液などで濡れたままの状態となり好ましくない。
【０００７】
また、ノズルから洗浄液が噴射され、この洗浄液が清掃ヘッドと清浄パッドとの間に溜まると、清掃ヘッドと清浄パッドとの摩擦係数が低下して、清浄パッドを床面に摺動させているときに、清浄パッドの背面と清掃ヘッドとの間に滑りが生じやすくなる。
【０００８】
さらに、特許文献１に記載のものは、清掃ヘッドのノズルから床面に直接に液が与えられる構造であるため、清掃すべき床面がセラミックタイルなどである場合には、床面に多量の液を直接与えても問題が生じないが、フローリングと称される表面に塗装などの仕上げ材が設けられた木製の床などの場合、材質によっては多量の洗浄剤が与えられると前記仕上げ材が変質しやすいものがある。
【０００９】
本発明は、上記従来の課題を解決するものであり、清掃ヘッドに設けられた噴液部から噴射される液が清掃ヘッドを伝わって、この清掃ヘッドと清掃用シートの間に入り込んだ場合であっても、清掃ヘッドの底面が過剰に濡れた状態となるのを防止できる清掃用シートを提供することを目的としている。
【００１０】
また、本発明は、表面がデリケートな被清掃面を清掃するときに、被清掃面に適度な量の液を与えて拭き清掃をすることができる清掃用シートを提供することを目的としている。
【課題を解決するための手段】
【００１１】
本発明は、清掃具のヘッドに装着される装着面、および清掃面とを有する清掃用シートにおいて、
前記清掃面に現れる液透過可能な外装シートと、前記外装シートの内側に設けられた液吸収シートとを有し、前記装着面に与えられた液が前記液吸収シートに吸収可能とされていることを特徴とするものである。
【００１２】
前記発明では、清掃ヘッドと清掃用シートとの間に、液が入り込んだ場合に、この液が清掃用シート内の液吸収シートで吸収可能である。そのため清掃ヘッドと清掃用シートとの間に液が溜まるのを防止できる。
【００１３】
例えば、前記装着面側に、前記液吸収シートを覆う液透過性の背面シートが設けられているものとなる。ただし、清掃用シートの装着面に前記背面シートが設けられず、前記背面に液吸収シートが直接に現れているものであってもよい。
【００１４】
また本発明は、前記液吸収シートを有する本体部は、幅方向寸法が縦方向寸法よりも大きい長尺形状で、前記本体部の前記幅方向に延びる両側縁から延びる掛止シートが設けられており、少なくとも１つの掛止シートが、前記ヘッドに設けられた噴液部を覆う広さを有しているものである。
【００１５】
前記発明では、ヘッドの上部などに設けられた噴液部から液が排出されたときに、この液が掛止シートを伝わって液吸収シートに導かれて吸収される。したがって、ヘッドの噴液部からヘッド外へ液を排出するのではなく、液吸収シートに直接に液を与え、この液を外装シートから徐々に床面などへ与えて清掃することが可能となる。
【００１６】
また本発明は、一方の掛止シートには、前記噴液部から出る液を前記ヘッドの外方へ与える凹部が形成され、他方の掛止シートが前記噴液部を覆う広さを有しているものとすることも可能である。
【００１７】
前記清掃用シートを、噴液部を有するヘッドに装着するときに、前記凹部を噴液部に対向させれば、前記噴液部からヘッドの外へ液を噴射させて床面を濡らすことが可能である。または、前記凹部を有しない掛止シートで前記噴液部を覆って、噴液部から液吸収シートに液を与えるように使用することも可能になる。
【００１８】
また、少なくとも前記噴液部を覆う広さを有する掛止シートの前記噴液部に対向する面が、撥水性であることが好ましい。
【００１９】
掛止シートが撥水性であると、噴液部から噴射された液が掛止シートを伝わって直ちにヘッドと清掃用シートとの間に導かれて、掛止シートの内面に液残りが生じにくくなる。
【発明の効果】
【００２０】
本発明では、清掃ヘッドと清掃用シートの装着面との間に、液が入り込んでも、この液を液吸収シートで吸収することができ、清掃用ヘッドの底部に液が溜まるのを防止できる。また液を装着面側から液吸収層に与えることができるため、液吸収層から床面などに液を徐々に与えながら拭き取り清掃することが可能になる。
【発明を実施するための最良の形態】
【００２１】
図１は本発明の実施の形態の清掃用シート１を装着するのに適した清掃具１０を示す斜視図、図２は前記清掃具１０の清掃ヘッド１１を示す拡大斜視図、図３と図４は、前記清掃ヘッド１１に清掃用シート１が異なる向きで取付けられた状態をそれぞれ示す斜視図、図５は清掃ヘッド１１に清掃用シート１が取り付けられた状態を示す側面図、図６は前記清掃用シート１を清掃面側から示す底面図、図７は図６のＶＩＩ−ＶＩＩの断面である清掃用シートの半断面図、図８は前記清掃用シートの構成を示す分解斜視図である。
【００２２】
図５ないし図８に示す本発明の実施の形態の清掃用シート１は、図１ないし４に示す清掃具１０の清掃ヘッド１１に装着されて使用されるのに適している。
【００２３】
前記清掃用シート１は、清掃ヘッド１１の底部２３に向く装着面１ｂと、床面などを拭く清掃面１ａとを有している。図７と図８に示すように、前記清掃用シート１の本体部１ｅは、清掃面１ａ側から順に、第１の外装シート２、第２の外装シート３、液吸収シート４、背面シート５が重ねられて構成されている。
【００２４】
図６に示すように、前記本体部１ｅは長方形であり、平行に対向する長辺１ｃ，１ｃと、平行に対向する短辺１ｄ，１ｄを有している。この清掃用シート１は、主に前記長辺１ｃ，１ｃのいずれか一方が床面などを清掃する際の拭き方向の前方に向けられて使用されるのに適している。また、本体部１ｅの一方の長辺１ｃの縁部には掛止シート６が接合され、他方の長辺１ｃの縁部には掛止シート７が接合されている。
【００２５】
前記各シートの左右方向（長手方向）の幅寸法は全て同じＷである。縦方向（短幅方向）の長さ寸法は、第１の外装シート２がＬ２、第２の外装シート３がＬ３、液吸収シート４がＬ４、背面シート５がＬ５である。図６に示すように、前記第２の外装シート３の長さ寸法Ｌ３が、本体部１ｅの短辺１ｄの長さ寸法に一致している。
【００２６】
前記液吸収シート４の長さ寸法Ｌ４と前記背面シート５の長さ寸法Ｌ５は一致しており、これら長さ寸法Ｌ４とＬ５は、前記第２の外装シート３の長さ寸法Ｌ３よりも短く、図７に示すように、第２の外装シート３の長辺縁部３ａは、前記液吸収シート４の長辺４ａからわずかに突出している。同様に、第２の外装シート３の長辺縁部３ｂは液吸収シート４の長辺４ｂからわずかに突出している。
【００２７】
前記第１の外装シート２の長さ寸法Ｌ２は、前記第２の外装シート３の長さ寸法Ｌ３および前記液吸収シート４の長さ寸法Ｌ４よりも短い。図７に示すように、清掃用シート１の清掃面１ａでは、長辺１ｃから内側への長さ寸法Ｌａの範囲の側部領域９において、前記第１の外装シート２が存在しておらず、前記液吸収シート４を覆う前記第２の外装シート３が現れている。また前記清掃面１ａの中央領域に、前記第１の外装シート２が現れている。
【００２８】
前記本体部１ｅおよび前記清掃面１ａの大きさは、床面などを清掃するのに適していれば特に制限されないが、例えば縦方向の長さ寸法Ｌ３が、６０〜１６０ｍｍ程度であり、前記幅寸法Ｗは、２００〜３２０ｍｍ程度である。前記側部領域９の長さ寸法Ｌａは、５ｍｍ以上であることが好ましく、さらに好ましくは１０ｍｍ以上である。
【００２９】
前記第１の外装シート２および第２の外装シート３はいずれも熱融着可能な合成樹脂繊維を含んでおり、図６と図７に示すように、前記中央領域８において、前記第１の外装シート２、第２の外装シート３および液吸収シート４が熱エンボス加工または超音波エンボス加工によって、一緒に圧縮され加熱されて接合され、互いに平行な複数の接合線７１が形成されている。また、前記背面シート５は、前記液吸収シート４の表面に、液の透過を妨げない坪量で塗布されたホットメルト型接着剤で接着されている。なお、前記背面シート５が、前記接合線７１によって、液吸収シート４に熱接着されてもよい。
【００３０】
前記第１の外装シート２と前記第２の外装シート３は、接合線７２によって互いに固定されている。この接合線７２は、前記第１の外装シート２と前記第２の外装シート３とを、エンボス加工によって加熱し加圧することで形成されている。前記接合線７２は、前記第１の外装シート２の長辺縁部２ａ，２ｂのそれぞれの内側へ離れた位置で且つ前記長辺縁部２ａ，２ｂと平行に形成されている。
【００３１】
図７に示すように、第１の外装シート２には、長辺縁部２ａと前記接合線７２との間に、清掃面１ａにおいて自由状態となったフラップ６１が形成されている。同様に、第１の外装シート２には、逆側の長辺縁部２ｂと接合線７２との間にフラップ６１が形成されている。清掃用シート１の長辺１ｃ，１ｃが摺動方向の前後に向くように床面上を摺動するときに、前記フラップ６１，６１が、床面に付着した汚れを除去する効果を発揮する。前記フラップ６１の自由長Ｌｂは０．５ｍｍ以上であることが好ましく、さらに好ましくは１ｍｍ以上である。前記自由長Ｌｂが長すぎると清掃面１ａと床面との摩擦抵抗を増大するおそれがあるため、前記自由長Ｌｂは１０ｍｍ以下が好ましく、さらに好ましくは５ｍｍ以下である。
【００３２】
前記掛止シート６には左右方向の中央部では、一方の縁部６ｃに凹部６ａが形成されており、他方の掛止シート７の縁部７ａには凹部が形成されておらず長方形状である。
【００３３】
図７に示すように、前記掛止シート６の長辺縁部６ｂは、前記第２の外装シート３の長辺縁部３ａに合わされ、液吸収シート４の長辺４ａの外側において、第２の外装シート３と掛止シート６は、互いに対面した状態で接合線７３においてホットメルト型接着剤で接着されている。この接合線７３は、第２の外装シート３の長辺縁部３ａと平行で且つ長辺に向けて全長に形成されている。同様に、前記掛止シート７の長辺縁部７ｂが、第２の外装シート３の長辺縁部３ｂに合わされ、液吸収シート４の長辺４ｂの外側において接合線７２によって接着されている。
【００３４】
前記第１の外装シート２は、繊維が高密度の不織布であるが、少なくとも７０質量％以上の繊維が親水処理された合成樹脂繊維または少なくとも７０質量％以上の親水性の天然繊維であり、第１の外装シート２は液で濡れることができ、また表面に与えられた液を液吸収シート４に向けて浸透させることが可能である。前記第１の外装シート２は、親水処理された合成樹脂繊維で形成されたスパンボンド不織布、あるいは界面活性剤で親水処理された合成樹脂繊維や、コットン、レーヨン、パルプなどの親水性の天然繊維で形成されたスパンレース不織布やポイントボンド不織布などである。
【００３５】
前記第２の外装シート３は、疎水性繊維を７０質量％以上含む低密度の不織布である。前記第２の外装シート３は、ポリエチレン（ＰＥ）樹脂、ポリプロピレン（ＰＰ）樹脂、ポリエチレンテレフタレート（ＰＥＴ）樹脂、またはＰＥとＰＰの複合合成樹脂繊維や、ＰＥとＰＥＴとの複合合成樹脂繊維を、熱風で互いに熱接着させるスルーエアー法で形成された不織布が使用される。第２の外装シート３の目付けは、１０〜５０ｇ／ｍ２であり、繊維の密度は、前記第１の外装シート２よりも低い。
【００３６】
前記液吸収シート４は、第１の吸収シート４ｄと第２の吸収シート４ｅとが重ねられたものである。前記第１の吸収シート４ｄと第２の吸収シート４ｅは、共にパルプをエアーレイド法で積層し、樹脂バインダーで繊維間を接合したエアレイドパルプである。前記液吸収シート４の目付けは、５０〜２００ｇ／ｍ２程度である。なお、前記液吸収シート４は高吸収性ポリマー（ＳＡＰ）を含むものであってもよい。
【００３７】
なお、液吸収シート４は液を吸収保持できるものであるならば他のものでもよく、例えば、パルプの積層体、レーヨンとパルプを含むスパンレース不織布、またはこのスパンレース不織布を複数枚積層したもの、親水処理された合成樹脂繊維とパルプとをエアーレイド法で積層し、バインダーで繊維間を接着したエアーレイド不織布などを使用できる。
【００３８】
前記背面シート５は、液透過性であり、前記第２の外装シートと同等のスルーエア−不織布や、レーヨンとパルプを含むスパンレース不織布で形成することができる。あるいは、親水性処理された合成樹脂繊維で形成されたスパンボンド不織布やポイントボンド不織布であってもよい。あるいは、多数の液透過孔が形成されたＰＥなどの樹脂フィルムであってもよい。好ましくは親水処理された合成樹脂繊維で形成された目付けが２０ｇ／ｍ２のスパンボンド不織布が使用される。
【００３９】
前記掛止シート６，７は、合成樹脂繊維でポイントボンド法で形成された不織布や、スパンボンド法で形成された不織布などである。また、この掛止シート６，７は、液不透過性であることが好ましく、例えば少なくとも図８において本体部１ｅに向く内面に撥水処理されたものが使用される。あるいは、掛止シート６，７は、ＰＥなどの合成樹脂フィルムで形成することもできる。撥水処理された掛止シートを使用すると、前記内面に液が与えられたときにこの液を清掃ヘッド１１と液吸収シート１との間に導いて液吸収シート４で吸収させやすくなる。また、掛止シートの前記内面に液残りが生じにくくなる。
【００４０】
図１に示す清掃具１０は、清掃ヘッド１１と、この清掃ヘッド１１の上面に自在継手１２を介して連結されたシャフト１３と、前記シャフト１３の上端に固定されたグリップ部１４とを有している。この実施の形態では、前記シャフト１３と前記グリップ部１４とで把持部１５が構成されている。
【００４１】
図２に示すように、前記清掃ヘッド１１は平面形状が長方形であり、この長方形の一方の長辺に前側面１１ａが形成され、他方の長辺に後側面１１ｂが形成されている。また、一方の短辺に右端面１１ｃが形成され、他方の短辺に左端面１１ｄが形成されている。前記前側面１１ａと後側面１１ｂの長さは、図６に示す清掃用シート１の本体部１ｅの幅寸法Ｗにほぼ一致しており、前記右端面１１ｃと左端面１１ｄの長さは、前記本体部１ｅの前記縦方向の長さ寸法Ｌ２とほぼ一致し、またはやや短くなっている。
【００４２】
前記清掃ヘッド１１は、アクリロニトリル−ブタジエン−スチレン（ＡＢＳ）、ポリエチレン（ＰＥ）、ポリプロピレン（ＰＰ）またはポリエチレンテレフタレート（ＰＥＴ）などの合成樹脂材料で射出成型された硬質のホルダ２１と、このホルダ２１の下面に固着されたパッド２２とを有している。前記パッド２２は、エチレン−酢酸ビニル共重合体（ＥＶＡ）、ウレタン、またはゴムなどの可撓性で且つ弾性を発揮する素材で形成されている。あるいは前記パッド２２が、軟質なＰＰやＰＥで形成されていてもよい。前記パッド２２と前記ホルダ２１は接着されて固定されている。前記パッド２２の底面すなわち清掃ヘッド１１の底部２３はほぼ平坦面である。
【００４３】
前記ホルダ２１の上面部では、前側面１１ａと右端面１１ｃおよび左端面１１ｄとの２つの角部の内側、および後側面１１ｂと右端面１１ｃおよび左端面１１ｄとの２つの角部の内側に、シート止め機構２４が設けられている。このシート止め機構２４では、前記ホルダ２１の上面に穴２１ａが形成され、この穴２１ａがＰＥ，ＰＰ，ＰＥＴなどで形成された変形可能なシート２５で覆われている。前記シート２５に切れ目２５ａが形成されており、図３と図４に示すように前記掛止シート６，７が前記切れ目２５ａ内に押し込まれることでこの清掃用シート１が止められる。
【００４４】
図２に示すように、前記ホルダ２１には噴液部３０が搭載されている。この噴液部３０は、前記ホルダ２１の、右端面１１ｃと左端部１１ｄとの中点で、且つ前記自在継手１２の前方に配置されている。前記噴液部３０は、台座３１とノズルヘッド３２との２つの部材で構成されている。前記ノズルヘッド３２の前面である噴射面３３の３箇所にノズル３５，３６，３７が開孔している。
【００４５】
図１に示すように、前記シャフト１３には容器ホルダ４１が設けられ、この容器ホルダ４１に液を収納した容器４２が装着できるようになっている。この実施の形態では、前記容器ホルダ４１と前記容器４２とで液溜め部４０が構成されている。前記容器ホルダ４１の下部４１ａの内部には、弁を備えた断続機構が設けられている。前記グリップ部１４には操作部４３が設けられており、この操作部４３を押圧操作すると前記断続機構に設けられた弁が開放できるようになっている。
【００４６】
次に、前記清掃用シート１の使用方法を説明する。前記清掃用シート１は２通りの使用方法を選択できる。
【００４７】
図３は、第１の使用方法を示している。この使用方法では、清掃用シート１の本体部１ｅが前記清掃ヘッド１１の底部２３に敷設される。このとき掛止シート６が清掃ヘッド１１の前側面１１ａに向けられ、他方の掛止シート７が後側面１１ｂに向けられる。掛止シート６で前側面１１ａを巻き込むようにし、掛止シート７で後側面１１ｂを巻き込むようにして、両掛止シート６，７が前記シート止め機構２４に挟み込まれて掛止される。前記掛止シート６には凹部６ａが形成されているため、図３に示すように前記凹部６ａ内に、前記ノズルヘッド３２の噴射面３３が現れるようになる。
【００４８】
図５に示すように、清掃用シート１が清掃ヘッド１１に取り付けられると、本体部１ｅは、清掃ヘッド１１の底部２３にほぼ平面状に設置される。
【００４９】
この清掃具１０のグリップ部１４を手で把持して、操作部４３を押圧操作すると、容器ホルダ４１の下部４１ａ内に設けられた断続機構の弁が開き、容器４２の内部の液の上部空間が大気に連通する。その結果、シャフト１３の内部空間１３ａおよびパイプ４４を経てノズルヘッド３２の内部圧力が容器４２内の液面の高さの応じて上昇し、ノズル３５，３６，３７から液が前方へ噴射される。このとき、液は前記掛止シート６の、清掃ヘッド１１の外部前方に位置する床面に液が与えられる。液で床面を濡らした後に、清掃ヘッド１１を前方へ移動させて清掃用シート１で床を拭き清掃する。
【００５０】
前記容器４２に入れられる液は、水であってもよいし、床面を洗浄する洗剤や、つや出しワックスなどを含んだものであってもよい。
【００５１】
清掃ヘッド１１を床面に沿って摺動させると、床面の細かな埃によって汚された液は、第２の外装シート３の繊維間の空隙を通過して液吸収シート４に吸収されて保持される。床面に与えられた液が、第２の外装シート３を透過して液吸収シート４で吸収されるため、第１の外装シート２と床面との間の液の量が調整されて、第１の外装シート２が適度な量の水分を保持した状態で、細かなゴミや埃を効果的に拭き取ることが可能になる。
【００５２】
さらに、前記中央領域８と側部領域９との境界では、清掃ヘッド１１の清掃面１ａにフラップ６１，６１が自由な状態で存在しているため、このフラップ６１，６１によっても、床面にこびりついた汚れを除去できるようになる。
【００５３】
前記ノズル３５，３６，３７から液が垂れた場合には、この液は台座３１の上面で受け止められる。台座３１の上面は、清掃ヘッド１１の前側面１１ａに延びているが、前側面１１ａに向うにしたがって徐々に底部２３に近づくように傾斜している。したがって、台座３１の上面に垂れた液は、前記前側面１１ａに導かれ、さらに掛止シート６と清掃ヘッド１１の前側面１１ａとの間を通過して、底部２３と、清掃用シート１との間に落ち込むようになる。装着面１ｂに与えられた液は、背面シート５を透過して液吸収シート４に吸収されるため、清掃ヘッド１１の底部２３が過剰に濡れるのを防止できる。
【００５４】
また、清掃用シート１を取り外したときに、床面に不用意に液が垂れるのも防止できる。また清掃ヘッド１１の底部２３と清掃用シート１との間に洗浄剤などが溜まりにくいため、洗剤剤によって前記底部２３と清掃用シート１とが滑りやすくなることも防止できる。
【００５５】
図４は、前記清掃用シート１の第２の使用方法を示している。この使用方法では、清掃用シート１の本体部１ｅが前記清掃ヘッド１１の底部２３に敷設された状態で、掛止シート７が清掃ヘッド１１の前側面１１ａを巻き込むようにして前記シート止め機構２４に掛止される。前記掛止シート７は長方形であり、十分に大きな面積を有しているため、図４に示すように、前記ノズルヘッド３２の噴射面３３の前方に掛止シート７が対向する。また、凹部６ａを有する掛止シートは、清掃ヘッド１１の後側面１１ｂを巻き込むようにして、清掃ヘッド１１の上部のシート止め機構２４に掛止される。
【００５６】
第２の使用方法では、前記グリップ部１４に設けられた操作部４３を押圧操作して、ノズルヘッド３２のノズル３５，３６，３７から噴射したときに、この液が、掛止シート７で受け止められ、液が清掃ヘッド１１の底部に導かれて清掃用シート１の背面シート５を通過して液吸収シート４に吸収される。
【００５７】
この使用方法では、清掃ヘッド１１を床面に押し付けると、液吸収シート４に吸収された液が、前記側部領域９に設けられた第２の外装シート３を通過して床面に与えられる。そして、前記第２の外装シート３に比べて液の透過機能が劣る第１の外装シート２が適度な濡れ状態となって、床面の汚れが除去される。
【００５８】
第２の使用方法では、床面に直接に液が与えられることがなく、清掃ヘッド１１と床面との圧力に応じて、すなわち清掃ヘッド１１を床面に押し付ける力に応じて、液吸収シート４に与えられた液が床面に徐々に与えられる。そのため、清掃用シート１と床面との間の液の量を調整しやすくなり、表面が仕上げ材で処理されたいわゆるフローリング床などに使用した場合に、前記仕上げ材を変質させるなどの問題が生じにくくなる。
【００５９】
前記清掃用シート１は、第１の使用方法と第２の使用方法の双方に対応できるため、使用者は、清掃作業の目的に合った使用方法を選択できる。
【００６０】
なお本発明は、前記実施の形態に限られるものではなく、種々の変更が可能である。例えば、清掃用シート１の液吸収シート４が設けられた本体部は、長円形状や楕円形状であってもよい。
【００６１】
また、掛止シート６，７と本体部１ｅを構成するいずれかのシートとが一体化されているものであってもよい。
【図面の簡単な説明】
【００６２】
【図１】本発明の清掃用シートが取り付けられる清掃具の全体構造を示す斜視図、
【図２】前記清掃具の清掃ヘッドを示す拡大斜視図、
【図３】前記清掃ヘッドに清掃用シートが取付けられた第１の使用方法を示す斜視図、
【図４】前記清掃ヘッドに清掃用シートが取付けられた第２の使用方法を示す斜視図、
【図５】清掃ヘッドに清掃用シートが取り付けられた状態を示す側面図、
【図６】本発明の実施の形態の清掃用シートの清掃面を示す底面図、
【図７】図６のＶＩＩ−ＶＩＩ線の半断面図、
【図８】清掃用シートの構造を示す分解斜視図、
【符号の説明】
【００６３】
１  清掃用シート
２  第１の外装シート
３  第２の外装シート
４  液吸収シート
５  背面シート
６，７  掛止シート
１０  清掃具
１１  清掃ヘッド
１３  シャフト
１４  グリップ部
１５  把持部
２１  ホルダ
２２  パッド
２３  底部
３２  ノズルヘッド
３３  噴射面
３５，３６，３７  ノズル
【図１】
2005342259.tif 000003
【図２】
2005342259.tif 000004
【図３】
2005342259.tif 000005
【図４】
2005342259.tif 000006
【図５】
2005342259.tif 000007
【図６】
2005342259.tif 000008
【図７】
2005342259.tif 000009
【図８】
2005342259.tif 000010